(57)【要約】【課題】外部電線に加わる張力を除去して電気的接続を維持することができ、且つ外観を向上させたモジュラジャックを提供する。【解決手段】モジュラジャックは、平面視十字状に形成され前面側が開口した箱形状のボディ３と、プラグ挿入口２ａを有しボディ３に収納されるジャック本体２と、ジャック本体２の前面側を覆ってボディ３の前面に被着されるカバーとを備える。ボディ３の側壁３ｄ、３ｇ、３ｊにはジャック本体２のプラグ挿入口２ａを露出させるためのシャッタブロック１０が取着されており、側壁３ａにはケーブルを導入するためのケーブル導入口１３が設けてある。ケーブル導入口１３の内側には、導入されたケーブルの外皮端面を当接させることにより、ケーブルを位置決めするケーブル位置決め部１４が設けてあり、ケーブル位置決め部１４の内側近傍には、外部電線にかかる張力を除去するための張力止め部材を固定する固定孔１５が設けてある。【選択図】図１
2008010218.tif 000002
【特許請求の範囲】
【請求項１】
外部電線に接続される端子部とモジュラプラグが挿入されるプラグ挿入口とを有する複数のジャック本体と、複数のジャック本体が同一平面上に配設される器体とを備え、
当該器体は、各プラグ挿入口を外部に露出させるための複数の開口部と、
複数の外部電線を外皮で束ねたケーブルをジャック本体が配設される平面と平行な方向から器体内部に導入するためのケーブル導入口と、
ケーブル導入口の近傍に設けられ、外部電線にかかる張力を除去するための張力止め部材を外部電線の露出部位で固定する固定部と、
ケーブル導入口と固定部との間に設けられ、ケーブルの外皮端面を当接させて位置決めを行う位置決め手段と、を備えたことを特徴とするモジュラジャック。
【請求項２】
器体は、一面が開口したボディと、ボディの開口部に被着されるカバーとで構成され、ジャック本体が配設される平面と平行に、且つケーブルの導入方向と平行な方向にカバーをスライドさせることにより、ボディとカバーとを係止させる係合手段をボディ及びカバーに設けたことを特徴とする請求項１記載のモジュラジャック。
【請求項３】
ケーブル導入口が開口する器体の部位に、ケーブルの導入方向と垂直な方向にスライド自在に配置され、ケーブル導入口の大きさを調整するための導入口カバーを設けたことを特徴とする請求項１又は２の何れか１項に記載のモジュラジャック。
【発明の詳細な説明】
【技術分野】
【０００１】
本発明は、モジュラプラグが挿入されるプラグ挿入口を備えたジャック本体を収納し、床下等に設置されるモジュラジャックに関するものである。
【背景技術】
【０００２】
従来より、モジュラプラグが挿入されるプラグ挿入口を一面に備えたジャック本体を複数収納し、床下等に設置されるモジュラジャックがあった（例えば特許文献１参照）。このモジュラジャックは、前面側が開口し平面視十字状に形成されたボディと、ボディの前面側を覆うように着脱自在に結合されるカバーとを備えている。
【０００３】
ボディは、四方の外側壁のうち三方の外側壁に、ジャック本体のプラグ挿入口を露出させるための開口窓がそれぞれ設けられており、残りの一方の外側壁に、例えば４対８芯の外部電線を複数本束ねて外皮で被覆したケーブルをボディ内部に導入するケーブル導入口が設けられている。また各開口窓の内側にはジャック本体を嵌着させるための嵌合凹部がそれぞれ設けられており、ジャック本体のプラグ挿入口を開口窓側に向けた状態でジャック本体を嵌合凹部に嵌着させている。さらにケーブル導入口の内側には、ケーブルを固定しケーブルにかかる張力を除去するための張力止め部材が設けられている。尚、ジャック本体の他面には多数の圧接端子が露出しており、ケーブル導入口から導入されたケーブル内の各外部電線の芯線がそれぞれ接続されている。
【特許文献１】特開平９−９３７６６号公報（第３頁−第４頁、及び、第１図−第３図）
【発明の開示】
【発明が解決しようとする課題】
【０００４】
上述のモジュラジャックでは、張力止め部材の位置を変えることにより、ケーブルの外皮位置又はケーブル内の外部電線が露出する位置の何れかで固定することができる。ケーブルの外皮位置で固定した場合は、ケーブル導入口から露出するのは外皮で覆われた部位なので外観を損なうことはないが、個々の外部電線に対する拘束力が弱いので張力が加わった時、外部電線を通じて圧接端子に張力が伝達され、電気的接続が不安定になる虞れがある。またケーブルの外皮位置で張力止め部材を固定することにより、外皮の厚み分ボディの厚みが厚くなってしまう。一方、外部電線が露出する位置で固定した場合は、個々の外部電線に対する拘束力が強いので張力が加わった時でも、外部電線を通じて圧接端子に張力が伝達されるのを防止することができ、電気的接続を維持することができる。また外部電線が露出する位置で張力止め部材を固定することにより、ケーブルの外皮位置で固定する場合に比べ、外皮の厚み分ボディの厚みを薄くすることができる。しかしこの場合、ケーブルの外皮の剥き代によってはケーブル導入口から外部電線が露出する場合があり、外観が悪くなる虞れがあった。
【０００５】
本発明は上記問題点に鑑みて為されたものであり、その目的とするところは、外部電線に加わる張力を除去して電気的接続を維持することができ、且つ外観を向上させたモジュラジャックを提供することにある。
【課題を解決するための手段】
【０００６】
請求項１の発明は、外部電線に接続される端子部とモジュラプラグが挿入されるプラグ挿入口とを有する複数のジャック本体と、複数のジャック本体が同一平面上に配設される器体とを備え、当該器体は、各プラグ挿入口を外部に露出させるための複数の開口部と、複数の外部電線を外皮で束ねたケーブルをジャック本体が配設される平面と平行な方向から器体内部に導入するためのケーブル導入口と、ケーブル導入口の近傍に設けられ、外部電線にかかる張力を除去するための張力止め部材を外部電線の露出部位で固定するための固定部と、ケーブル導入口と固定部との間に設けられ、ケーブルの外皮端面を当接させて位置決めを行う位置決め手段と、を備えたことを特徴とする。
【０００７】
請求項２の発明は、器体は、一面が開口したボディと、ボディの開口部に被着されるカバーとで構成され、ジャック本体が配設される平面と平行に、且つケーブルの導入方向と平行な方向にカバーをスライドさせることにより、ボディとカバーとを係止させる係合手段をボディ及びカバーに設けたことを特徴とする。
【０００８】
請求項３の発明は、ケーブル導入口が開口する器体の部位に、ケーブルの導入方向と垂直な方向にスライド自在に配置され、ケーブル導入口の大きさを調整するための導入口カバーを設けたことを特徴とする。
【発明の効果】
【０００９】
請求項１の発明によれば、ケーブルをケーブル導入口から器体内部に導入し、器体に設けた位置決め手段にケーブルの外皮端面を当接させて固定することにより、ケーブル導入口からはケーブルの外皮で覆われた部位のみが露出するので、複数の外部電線がばらばらに露出する場合に比べて外観がよくなるという効果がある。また張力止め部材を外部電線が露出する部位で固定しているので、ケーブルの外皮の上から固定する場合に比べて、個々の外部電線をより強い拘束力で拘束することができる。従ってケーブルに張力が作用した場合でも、張力が外部電線を通じて端子部に伝わるのを抑え、外部電線と端子部との電気的接続を維持することができるという効果がある。さらに張力止め部材を外部電線が露出する部位で固定することにより、器体の厚みを少なくともケーブルの外皮の厚み分だけ薄くすることができるという効果がある。
【００１０】
請求項２の発明によれば、ボディ及びカバーにそれぞれ係合手段を設け、ジャック本体が配設される平面と平行に、且つケーブルの導入方向と平行な方向にカバーをスライドさせることによりボディに係止させているので、カバーをボディに容易に脱着することができるという効果がある。またジャック本体が配設される平面と平行に、且つケーブルの導入方向と平行な方向にカバーをスライドさせてボディに係止させているので、ケーブルの導入方向に直交する方向の力がケーブルに加えられた場合でも、カバーが外れにくいという効果がある。
【００１１】
請求項３の発明によれば、ケーブル導入口において、ケーブルの導入方向と垂直な方向に導入口カバーをスライド自在に配置しているので、使用するケーブルの外径に応じて導入口の大きさを容易に調整することができるという効果がある。また導入口カバーを用いることによりケーブル導入後のケーブル導入口の隙間を小さくすることができるので、外観がよくなるという効果がある。
【発明を実施するための最良の形態】
【００１２】
以下に本発明の実施の形態を図１〜図１０に基づいて説明する。本発明に係るモジュラジャックは通常、後面を床面等の施工面に当接させた状態で用いられる。尚、以下の説明では特に断りがない場合、図３に示す向きにおいて上下左右の方向を規定し、図３の正面を前面という。従って図１０の下側が後側になる。
【００１３】
本発明に係るモジュラジャックは、略直方体状に形成された複数のジャック本体２（図１（ａ）では６個）と、図２に示すように平面視十字状に形成され内部にジャック本体２が収納される器体１とを備えている。さらに器体１は、図３に示すように平面視十字状に形成され内部にジャック本体２が収納されるボディ３と、図９に示すように平面視十字状に形成されジャック本体２の前面側を覆うようにボディ３の前面に被着されるカバー４とで構成されている。
【００１４】
ジャック本体２は、合成樹脂のような絶縁材料によって形成されており、ジャック本体２の一面（図１（ａ）において後述するシャッタブロック１０側の面）にはモジュラプラグ（図示せず）が挿入されるプラグ挿入口２ａが開口している。また図３においてジャック本体２の前面側には外部電線２４ｂが接続する多数（例えば８個）の圧接端子を具備する端子部２ｂが設けられている。さらにジャック本体２のプラグ挿入口２ａの内部に、ばね材料よりなる互いに独立した複数極（例えば８極）のコンタクトばね（図示せず）が配設されており、コンタクトばねは各圧接端子と電気的に接続されている。
【００１５】
またジャック本体２には、図３に示すように、端子部２ｂを覆うように前面側から電線止め１１が嵌着される。そしてジャック本体２に電線止め１１を嵌着させた状態では、外部電線２４ｂを電線止め１１で押さえることができ、外部電線２４ｂの抜け防止を図っている。
【００１６】
ボディ３は、図５に示すように、前面側が開口した箱形状に形成されており、一方の側壁３ａを除く三方の側壁３ｄ、３ｇ、３ｊには、開口窓１０ｄを有するシャッタブロック１０がそれぞれ２個ずつ並設されている。残りの一方の側壁３ａには、それぞれジャック本体２に接続される複数の外部電線２４ｂを外皮２４ａで被覆したケーブル２４をボディ３内部に導入するためのケーブル導入口１３が設けられている。各ジャック本体２は、プラグ挿入口２ａをシャッタブロック１０側に向けた状態で適宜の取付手段によってボディ３に取着される。尚、本実施形態では、すべてのジャック本体２が同一平面（ボディ３の底面）上に取着されており、器体１の高さを低く抑えることができる。
【００１７】
ここでシャッタブロック１０は、図１に示すように外側面の中央にプラグ挿入口２ａと連通する矩形の開口窓１０ｄを有する本体１０ａと、開口窓１０ｄを開閉自在に閉塞する２枚の扉体１０ｂ、１０ｃとを備えている。シャッタブロック１０の扉体１０ｂ、１０ｃは、前後方向（図１（ａ）では上下方向）に移動自在であり、前方（図１（ａ）では上側）へ弾性付勢された状態で本体１０ａに保持されて開口窓１０ｄを開閉自在に閉塞している。一方、扉体１０ｃに対して本体１０ａと反対側に配置された扉体１０ｂの前端縁には開口窓１０ｄを通して外部に露出する操作片１０ｅが突設されており、操作片１０ｅに対して後方（図１（ａ）では下側）に移動する向きの力を加えることにより、２枚の扉体１０ｂ、１０ｃが後方（図１（ａ）では下側）に移動して開口窓１０ｄを開き、開口窓１０ｄを通してプラグ挿入口２ａが露出するようになっている。尚、このようにして開口窓１０ｄを開閉する構造は従来周知であり、詳細な説明は省略する。
【００１８】
またボディ３においてケーブル導入口１３の内側近傍には、ケーブル導入口１３を間にして両側に前後方向（図１（ｂ）では上下方向）にスライド溝１７が形成されており、図１（ｂ）に示す台形板状に形成された導入口カバー１６をスライド溝１７に沿って前後方向（図１（ｂ）では上下方向）にスライド自在に挿通させることにより、ケーブル導入口１３の開口部分の大きさを調整することができる。ここにケーブル２４は、４対８芯のものや２対４芯のものなどがあり、種類によって外径が異なる。例えば図１０（ａ）のようにケーブル２４の外径が大きい場合には、ケーブル２４とケーブル導入口１３との間に形成される隙間は小さく、外観を損なうことはないが、図１０（ｂ）のようにケーブル２４の外径が小さい場合には、ケーブル２４とケーブル導入口１３との間で形成される隙間が大きくなり、外観が悪くなってしまう。そこで図１０（ｃ）のように導入口カバー１６を用いると、ケーブル２４とケーブル導入口１３との間に形成される隙間を小さくすることができ、外観をよくすることができる。
【００１９】
さらにボディ３の裏面側には、図８に示すように、各ジャック本体２に対応する部位に、ジャック本体２を取り外すためのヒンジ部２６がそれぞれ設けられており、このヒンジ部２６を前面側（図８の右側方向）に押すだけで、ジャック本体２を取り外すことができる。またボディ３の裏面の略中央には、マグネット２９及びマグネット２９の３面を囲って取着されるコ字状のヨーク３０を収納する横長の収納凹部２７が設けられており、収納凹部２７の長手方向一端側には、収納されたマグネット２９及びヨーク３０を着脱自在に係止する係止突起２８が設けられている。一方マグネット２９側には、係止突起２８に対応する部位に係止爪（図示せず）が設けられており、この係止爪を係止突起２８に係止させることで、マグネット２９をワンタッチで固定することができる。またマグネット２９を取り外す場合には、マイナスドライバー等を用いることで簡単に取り外すことができる。
【００２０】
尚、図３に示すように、ボディ３の中央寄り四隅には、壁板等の造営材に固定するための固定ねじ（図示せず）を挿通する挿通孔９が設けられている。また略中央にはカバー４の裏面と当接するスペーサ３２が前面側に向かって突設されており、カバー４をボディ３の前面に被着した際にカバー４との接触面積を大きく取るために平面視十字状に形成されている。
【００２１】
一方、カバー４は、図２に示すように、平面視十字状の平板状に形成されており、ジャック本体２の前面側を覆うようにボディ３の前面に被着されている。またカバー４の前面側には、各ジャック本体２に対応する部位に、プラグ挿入口２ａの接続先の系統を識別するためのカラーチップ（図示せず）が取り付けられる取付凹部２３がそれぞれ設けられている。
【００２２】
ここで、器体１を施工面に取り付ける方法については、２種類の方法が用意されている。木質壁等の施工面に対しては、ボディ３の中央寄り四隅に設けられた挿通孔９を通して木ねじを施工面に螺合させればよい。一方、施工面が金属製である場合（例えば、事務机などに取り付ける場合）には、マグネット２９を介して施工面に磁着させればよい。
【００２３】
次に、ケーブル導入口１３から導入されたケーブル２４をボディ３に固定する構造について説明する。ボディ３においてケーブル導入口１３の内側には、導入したケーブル２４を外皮２４ａの部位で載置する載置面３３が形成されており、この載置面３３に連続して内側ほど高くなるように傾斜する傾斜面からなるケーブル位置決め部１４が設けられている（図２（ｂ）参照）。さらにケーブル位置決め部１４に連続して外部電線２４ｂが当接する当接面８が載置面３３と平行に設けられており、この当接面８と載置面３３との間にはケーブル２４の外皮２４ａの厚みと略同寸法の段差が設けられている。尚、ケーブル２４を導入した際には、この段差により外部電線２４ｂを当接面８に沿って水平に引き込むことができる。
【００２４】
さらに図３に示すように、当接面８を間にして両側には、外部電線２４ｂにかかる張力を除去するための張力止め部材（例えば樹脂製の結束バンド２５）を外部電線２４ｂの露出部位で固定するための一対の固定孔１５が設けられている。また各固定孔１５のさらに内側には、一対のＬ字状のケーブル仮保持部１２が前面側（図１（ｂ）では上側）に向かって突設されており、各ケーブル仮保持部１２の先端側は他方のケーブル仮保持部１２に向かって突出している。
【００２５】
ここで、ケーブル導入口１３から導入されたケーブル２４をボディ３に固定する方法について説明する。まず両ケーブル仮保持部１２、１２で形成される開口に、先端の外皮が剥かれた外部電線２４ｂを挿通し、ケーブル２４を仮保持させる。次にケーブル２４の外皮２４ａの端面をケーブル位置決め部１４に当接させる。ここでケーブル２４の外皮２４ａの端面を当接させる位置は、ケーブル位置決め部１４の傾斜面であればどの位置であってもよい。そして結束バンド２５の一端側を両固定孔１５，１５に挿通し、当接面８において外部電線２４ｂを結束固定することにより、ケーブル２４がボディ３に固定される（図４参照）。
【００２６】
このように外部電線２４ｂをケーブル仮保持部１２に仮保持させることにより、ケーブル２４の位置決めを容易に行うことができる。さらに外部電線２４ｂがばらばらに広がることなく一定のまとまりとして保持することができ、外部電線２４ｂを容易に結束固定することができる。またケーブル２４をボディ３の内部に導入するとともに、ケーブル２４の外皮２４ａの端面をケーブル位置決め部１４に当接させているので、ケーブル導入口１３から露出するのはケーブル２４の外皮２４ａで覆われた部位であり、複数の外部電線２４ｂがばらばらに露出する場合に比べて外観がよくなる。さらに結束バンド２５を外部電線２４ｂが露出する部位で固定しているので、ケーブル２４の外皮２４ａの上から固定する場合に比べて、個々の外部電線２４ｂをより強い拘束力で拘束することができる。従ってケーブル２４に張力が加わった場合でも、張力が外部電線２４ｂを通じて端子部２ｂに伝わるのを抑え、外部電線２４ｂと端子部２ｂとの電気的接続を維持することができる。また結束バンド２５を外部電線２４ｂが露出する部位で固定することにより、外皮２４ｂの上から固定する場合に比べて、器体１の厚みを少なくともケーブル２４の外皮２４ａの厚み分だけ薄くすることができる。
【００２７】
ここで、ボディ３とカバー４との結合構造について説明する。上側（図５では下側）の側壁３ａの両端寄り及び側壁３ｃ、３ｋの略中央には、前面側（図５では上側）に向かって突出部５が形成されており、各突出部５には上側（図５では下側）が開口する係合凹部５ａがそれぞれ設けられている。また側壁３ｃ、３ｋと対向する側壁３ｅ、３ｉの略中央には、上側（図５では下側）に向かって突出する係合片７がそれぞれ設けられている。さらに側壁３ｅ、３ｉにそれぞれ連設された側壁３ｆ、３ｈの内側近傍には、ケーブル２４の導入方向に延設されたレール部６が設けられており、レール部６は前面側（図５では上側）に突出する主片６ａと、主片６ａの前端縁から側壁３ｆ、３ｈに向けて突出する係合突片６ｂとで形成されている。
【００２８】
一方、カバー４の裏面側には、図６に示すように、ボディ３の各係合凹部５ａに対応する部位に下側（図６では上側）に向かって突出する係合片１８がそれぞれ設けられており、ボディ３の各係合片７に対応する部位には後面側（図６では前面側）に向かって突出部２０が形成されており、各突出部２０には上側（図６では下側）に向かって係合溝２０ａがそれぞれ設けられている。さらにボディ３の各レール部６に対応する部位には、内側に向かって突出する係合片１９ａと、係合片１９ａの一端側から前面側（図６では後面側）に向かって突出する当接片１９ｂとで形成された係止部１９がそれぞれ設けられている。
【００２９】
またカバー４の裏面側には、ボディ３に設けたケーブル導入口１３に対応する部位に、カバー４をボディ３に被着した際に導入口カバー１６が配置される台形状の窪み２１が設けられている。さらに窪み２１の内側には、窪み２１の端面と連設されカバー４をボディ３に沿ってスライドさせる際に、導入口カバー１６が浮き上がるのを押さえながらスライドさせるための一対のリブ２２が内側に向かって延設されている。
【００３０】
そして図８に示すように、カバー４をボディ３よりも少しケーブル２４の露出側（図８の上方）に配置した状態でボディ３の前面に被せ、カバー４をボディ３の底面（ジャック本体２の取付面）と平行且つ下方（ケーブル２４の導入方向と平行な方向）にスライド移動させると、ボディ３とカバー４とが結合する。この時、カバー４の各係合片１８はボディ３の係合凹部５ａにそれぞれ挿入され、係止される。またカバー４の各係合溝２０ａには、ボディ３の係合片７がそれぞれ挿入され、係止される。さらにカバー４をボディ３の前面に沿ってスライド移動させる動作に伴って、ボディ３の側壁３ｆ、３ｈの前端縁とレール部６の係合突片６ｂとの隙間を係止部１９の係合片１９ａが移動するとともに当接片１９ｂが係合突片６ｂの端面に当接し、係止部１９がレール部６に係止される。またカバー４をボディ３から取り外すには、カバー４を上側にスライド移動させることにより、係合凹部５ａと係合片１８との係合、係合溝２０ａと係合片７との係合及びレール部６と係止部１９との係合がそれぞれ解除され、カバー４をボディ３から取り外すことができる。
【００３１】
従ってカバー４は、ボディ３に対してスライド移動させるだけで容易に着脱することができる。またボディ３とカバー４とを結合させる際に、ボディ３の底面（ジャック本体２の取付面）と平行且つケーブル２４の導入方向と平行な方向にカバー４をスライド移動させるので、ケーブル２４の導入方向に直交する方向の力がケーブル２４に加わった場合でも、カバー４が外れにくい。
【００３２】
ここで、導入口カバー１６を使用した場合には、カバー４をボディ３に沿ってスライド移動させる際に、導入口カバー１６は上面をカバー４の裏面のリブ２２に当接させた状態でスライド移動しており、カバー４とボディ３との結合が完了すると、導入口カバー１６はカバー４の窪み２１に配置される。
【００３３】
尚、本実施形態において、ボディ３の形状を平面視十字状に形成した場合について説明したが、ボディ３の形状については本実施形態に限定されるものではなく、使用目的、使用箇所等に応じて適宜設計すればよい。また本実施形態において、ボディ３に取着するジャック本体２を６個とした場合を例に説明したが、ジャック本体２の個数は本実施形態に限定されるものではなく、使用目的、使用箇所、ボディ３の形状等に応じて適宜変更してもよい。さらに本実施形態では、外部電線２４ｂにかかる張力を除去する張力止め部材として結束バンド２５を用いて説明したが、張力止め部材は本実施形態に限定されるものではなく、外部電線２４ｂにかかる張力を除去できるものであればよい。
【図面の簡単な説明】
【００３４】
【図１】（ａ）は本実施形態のモジュラジャックのボディに導入口カバーを取り付けた状態の斜視図である。（ｂ）は同上の要部詳細斜視図である。
【図２】（ａ）は同上の平面図である。（ｂ）は同上のＡ−Ａ断面図である。
【図３】同上のボディの平面図である。
【図４】同上のボディにケーブルを配線した状態の平面図である。
【図５】同上のボディから導入口カバーを外した状態の斜視図である。
【図６】同上のカバーの斜視図である。
【図７】同上のボディにケーブルを配線した状態の斜視図である。
【図８】同上の分解斜視図である。
【図９】（ａ）は同上の他の分解斜視図である。（ｂ）は同上の他の要部詳細斜視図である。
【図１０】（ａ）は同上にケーブルを導入した状態の平面図である。（ｂ）は同上に他のケーブルを導入した状態の平面図である。（ｃ）は同上に導入口カバーを取り付けた状態の平面図である。
【符号の説明】
【００３５】
１      器体
２      ジャック本体
３      ボディ（器体）
４      カバー（器体）
１０    シャッタブロック
１０ｄ  開口窓（開口部）
１３    ケーブル導入口
１４    ケーブル位置決め部（位置決め手段）
１５    固定孔（固定部）
２４    ケーブル
２４ａ  外皮
２４ｂ  外部電線
２５    結束バンド（張力止め部材）
【図１】
2008010218.tif 000003
【図２】
2008010218.tif 000004
【図３】
2008010218.tif 000005
【図４】
2008010218.tif 000006
【図５】
2008010218.tif 000007
【図６】
2008010218.tif 000008
【図７】
2008010218.tif 000009
【図８】
2008010218.tif 000010
【図９】
2008010218.tif 000011
【図１０】
2008010218.tif 000012